(57)【要約】【課題】固有情報を有する受皿を用いた選別作業で得られた農産物の仕分情報と農産物個々に貼り付けた個体ラベルとを関連付けて記憶することで、農産物の個別の情報管理を確実に行うことができる農産物の個別情報管理装置を提供する。【解決手段】個体ラベルに記載されたホームページのアドレスにアクセスし、個体ラベルに記載された個体情報を入力することにより農産物の個別情報を入手可能とした農産物の個別情報管理装置であって、農産物の仕分情報を取得する仕分情報取得装置４と、個体ラベルの個体情報を農産物へ付与する個体ラベル貼付装置１１と、個体ラベル貼付装置で付与された個体ラベルの個体情報を読み取るラベル情報読取装置１３とを有し、ラベル情報読取装置１３で読み取られた個体ラベルの個体情報と仕分情報取得装置１３で取得した農産物の仕分情報とを関連付けて管理するものである。【選択図】図１
2006289369.tif 000002
【特許請求の範囲】
【請求項１】
農産物に取付けられた個体ラベルに記載されたホームページのアドレスにアクセスし、前記個体ラベルに記載された個体情報を入力することにより農産物の個別情報を入手可能とした農産物の個別情報管理装置であって、
前記農産物を搬送させながら、この農産物の仕分情報を取得する仕分情報取得装置と、
前記個体ラベルの個体情報を農産物へ付与する個体ラベル貼付装置と、
前記個体ラベル貼付装置で付与された前記個体ラベルの個体情報を読み取るラベル情報読取装置と、
を有し、前記ラベル情報読取装置で読み取られた個体ラベルの個体情報と前記仕分情報取得装置で取得した農産物の仕分情報とを関連付けて管理することを特徴とする農産物の個別情報管理装置。
【請求項２】
前記個体ラベルの個体情報と農産物の仕分情報は、インターネットでアクセス可能なホストコンピュータなどから成る記憶装置に記憶されることを特徴とする請求項１記載の農産物の個別情報管理装置。
【請求項３】
前記農産物が固有情報を有する受皿上に載置され、当該受皿の固有情報と、前記仕分情報取得装置で取得された前記受皿上の農産物の仕分情報と、前記ラベル情報読取装置で読み取られた個体ラベルの個体情報とを対応した状態で管理することを特徴とする請求項１又は請求項２記載の農産物の個別情報管理装置。
【請求項４】
前記受皿の固有情報と農産物の仕分情報とを対応させるとともに、当該受皿の固有情報と個体ラベルの個体情報とをそれぞれ対応させたことを特徴とする請求項３記載の農産物の個別情報管理装置。
【請求項５】
前記受皿の固有情報は、バーコードにより前記受皿に付与されたことを特徴とする請求項３又は請求項４記載の農産物の個別情報管理装置。
【請求項６】
搬送される農産物の荷口等に関する情報を、前記受皿の固有情報、前記仕分情報取得装置で取得された前記受皿上の農産物の仕分情報、前記ラベル情報読取装置で読み取られた個体ラベルの個体情報と対応させることを特徴とする請求項３〜請求項５の何れか１つに記載の農産物の個別情報管理装置。
【請求項７】
前記受皿の固有情報と荷口等に関する情報、当該受皿の固有情報と農産物の仕分情報、及び当該受皿の固有情報と個体ラベルの個体情報とをそれぞれ対応させたことを特徴とする請求項６記載の農産物の個別情報管理装置。
【請求項８】
前記農産物の荷口に関する情報は、少なくとも生産者名、ほ場を含むことを特徴とする請求項６又は請求項７記載の農産物の個別情報管理装置。
【請求項９】
前記農産物の荷口等に関する情報は、生産者名、収穫日、選果日、搬入日、ほ場、品種あるいは品目、個数等から成る農産物の履歴情報であることを特徴とする請求項６又は請求項７記載の農産物の個別情報管理装置。
【請求項１０】
前記個体ラベル貼付装置は、搬送される農産物の表面に前記個体ラベルを貼付することを特徴とする請求項１〜請求項９の何れか１つに記載の農産物の個別情報管理装置。
【発明の詳細な説明】
【技術分野】
【０００１】
本発明は、メロンやリンゴ、トマト等の農産物の例えば選別作業とこの選別された農産物に係わる固有の情報を管理するための作業を効率的に行うことができる農産物の個別情報管理装置に関する。
【背景技術】
【０００２】
一般的に、物品に当該物品を管理するためのバーコードシール等の個体ラベルを貼付し、当該物品に関する情報（例えば仕分情報や生産者等の履歴情報）を管理することで、物品手配や品質管理等を行うことは、例えば食肉等の食品の流通分野等で知られている。また、農産物についても、選果場等において個々の農産物の情報を管理することが行われており、その具体的方法としては、例えば特許文献１に開示の「青果物の選別方法と装置」もしくは特許文献２に開示の「物品の情報管理装置及び情報管理方法」が提案されている。
【０００３】
特許文献１の選別装置は、固有番号が印刷されたバーコードを有する受皿に載せられた農産物を、第１の読取装置により該受皿の固有情報が読み取られると共に、仕分情報検出手段により受皿上の農産物の仕分情報が検出され、この仕分情報が受皿の固有情報と対応させて記憶される。そして、仕分けに際して、第２の読取装置により受皿の固有情報が読み取られこの固有情報と共に記憶されている仕分情報が読み出され、この読み出された仕分情報に基づいて農産物が受皿毎に貯留コンベア上に仕分排出され、仕分けされた受皿上の農産物が箱詰めロボットや手作業によって受皿上から取り出されて箱詰めされるようになっている。
【０００４】
また、特許文献２の情報管理装置は、透明インク等で農産物等の物品自体に直接固有情報を付与し、この固有情報が付与された物品を計測装置で計測し、物品自体に付与された固有情報を検出して個々の物品の情報を管理するものであり、固有情報を透明インク等で直接物品に付与することで、固有情報が物品の計測の際に影響を及ぼさないようにしたものである。また、固有情報の付与ミスが発生した場合に、不良品を排除した後に音もしくは光を発する警報装置を設ける「印字不良製品排除装置」が特許文献３に開示されている。
【特許文献１】特許第２７３０７６５号公報
【特許文献２】特開２００１−３４７２２９号公報
【特許文献３】特許第２９０３１４８号公報
【発明の開示】
【発明が解決しようとする課題】
【０００５】
しかしながら、特許文献１の選別装置にあっては、第１の読取装置及び第２の読取装置によって選別ライン上の農産物が載せられた受皿の固有情報を読み取り、この読み取った固有情報により受皿上の農産物の情報を管理する方式であるため、選別ライン上に載せられている状態においては、受皿の固有情報を読み取ることで載せられている農産物の仕分情報を読み取ることは可能である。
【０００６】
ところが、受皿から取り出されて箱詰めされた後の農産物については、当該農産物が箱詰めされた段ボール箱に品種や等階級あるいは産地等が表示されるものの、個々の農産物に表示がないことから、農産物を段ボール箱から取り出してしまうと個々の品質等を把握することができないばかりか、他の異なる品種のものと混在しないように別途管理する必要性が生じる。また、選別ライン上においても、受皿から取り出されてしまうと個々の農産物を管理することが困難で、この選別装置においては、農産物の個別情報管理を確実かつ効率的に行うことが難しいという問題点を有している。
【０００７】
一方、特許文献２の情報管理装置にあっては、透明インク等を物品の表面に直接付与するため、例えば物品が果実、野菜等のような農産物の場合に、その表面に凹凸がある等一様でないことから読み取りミスが生じ易くなると共に、情報量が多い場合に固有情報付与のための所定のスペースが必要となり、農産物の大きさに制限を受けたり付与ミスも発生し易い。
【０００８】
また、固有情報が透明のインク等で形成されるため、固有情報が視認されず、段ボール箱から取り出す際に、固有情報が消えないように注意する必要があると共に、固有情報が消えたりあるいは読み取りができない状態を招く虞がある。さらに、透明インク等の付与ミス時に、付与されたインクが視認されないため、ふき取り作業に時間がかかり、これらのことから、物品の固有情報の付与作業を含めた管理作業が面倒になると共に、確実かつ効率的な管理作業を行うことが難しいという問題点を有している。
【０００９】
ところで、特許文献２の情報管理装置において、特許文献３のように、固有情報の付与ミスが発生した場合に、不良品を排除した後に音もしくは光を発する警報装置を設けることも考えられるが、このような装置の場合、ラベルが貼ってあるか否かを単に検査して警報を発するのみであることから、搬送ライン上でラベル貼りが行われた後に、ラベルが貼ってないものについて再度貼り直しを自動的に行うことはできず、物品の固有情報の管理を効率的に行うことは依然として困難である。
【００１０】
本発明は、このような事情に鑑みてなされたもので、その目的は、固有情報を有する受皿を用いた選別作業で得られた農産物の仕分情報と農産物個々に貼り付けた個体ラベルとを関連付けて記憶することで、農産物の個別の情報管理を確実に行うことができる農産物の個別情報管理装置を提供することにある。
【課題を解決するための手段】
【００１１】
請求項１記載の発明は、農産物に取付けられた個体ラベルに記載されたホームページのアドレスにアクセスし、前記個体ラベルに記載された個体情報を入力することにより農産物の個別情報を入手可能とした農産物の個別情報管理装置であって、前記農産物を搬送させながら、この農産物の仕分情報を取得する仕分情報取得装置と、前記個体ラベルの個体情報を農産物へ付与する個体ラベル貼付装置と、前記個体ラベル貼付装置で付与された前記個体ラベルの個体情報を読み取るラベル情報読取装置とを有し、前記ラベル情報読取装置で読み取られた個体ラベルの個体情報と前記仕分情報取得装置で取得した農産物の仕分情報とを関連付けて管理することを特徴とする。
【００１２】
請求項２記載の発明は、前記個体ラベルの個体情報と農産物の仕分情報は、インターネットでアクセス可能なホストコンピュータなどから成る記憶装置に記憶されることを特徴とする。
【００１３】
請求項３記載の発明は、前記農産物が固有情報を有する受皿上に載置され、当該受皿の固有情報と、前記仕分情報取得装置で取得された前記受皿上の農産物の仕分情報と、前記ラベル情報読取装置で読み取られた個体ラベルの個体情報とを対応した状態で管理することを特徴とする。
【００１４】
請求項４記載の発明は、前記受皿の固有情報と農産物の仕分情報とを対応させるとともに、当該受皿の固有情報と個体ラベルの個体情報とをそれぞれ対応させたことを特徴とする。
【００１５】
請求項５記載の発明は、前記受皿の固有情報は、バーコードにより前記受皿に付与されたことを特徴とする。
【００１６】
請求項６記載の発明は、搬送される農産物の荷口等に関する情報を、前記受皿の固有情報、前記仕分情報取得装置で取得された前記受皿上の農産物の仕分情報、前記ラベル情報読取装置で読み取られた個体ラベルの個体情報と対応させることを特徴とする。
【００１７】
請求項７記載の発明は、前記受皿の固有情報と荷口等に関する情報、当該受皿の固有情報と農産物の仕分情報、及び当該受皿の固有情報と個体ラベルの個体情報とをそれぞれ対応させたことを特徴とする。
【００１８】
請求項８記載の発明は、前記農産物の荷口に関する情報は、少なくとも生産者名、ほ場を含むことを特徴とする。
【００１９】
請求項９記載の発明は、前記農産物の荷口等に関する情報は、生産者名、収穫日、選果日、搬入日、ほ場、品種あるいは品目、個数等から成る農産物の履歴情報であることを特徴とする。
【００２０】
請求項１０記載の発明は、前記個体ラベル貼付装置は、搬送される農産物の表面に前記個体ラベルを貼付することを特徴とする。
【発明の効果】
【００２１】
本発明によれば、固有情報を有する受皿を用いた選別作業で得られた農産物の仕分情報と農産物個々に貼り付けた個体ラベルとを関連付けて記憶することで、農産物の個別の情報管理を確実に行うことができる。
【発明を実施するための最良の形態】
【００２２】
以下、本発明の実施の形態を図面に基づいて詳細に説明する。
図１〜図４は、本発明に係わる個別情報管理装置を選別装置に適用した場合の一実施形態を示し、図１がその概略構成図、図２が農産物が載せられた受皿の正面図、図３が農産物の正面図、図４が個別情報管理装置を使用した農産物の流通経路の説明図である。
【００２３】
図１において、選別装置１は、農産物Ｗが載せられた受皿３を上流側から下流側に向けて矢印イの如く搬送する搬送手段としての搬送コンベア２を有している。この搬送コンベア２の上流側の計測位置Ｓ１には、受皿３上の農産物Ｗを計測する仕分情報取得装置としての計測装置４が配置されると共に、受皿３に付与された固有情報としてのバーコード５を読み取る受皿情報読取装置６（第１受皿情報読取装置）が配置されている。なお、受皿３は、例えば中央部分に凹状の載部開口を有する円筒形状に形成され、個々の受皿３の外周面にバーコードシールが貼着されることによって、それぞれ異なる番号（固有番号）からなる前記バーコード５が付与されている。
【００２４】
また、前記計測装置４は、受皿３上の農産物Ｗに光を照射しその反射光や透過光等により当該農産物Ｗの外観や内部品質等を計測する計測センサ７と、この計測センサ７の計測データに基づいて当該農産物Ｗの等階級等を判定する演算判定部８等によって構成されている。そして、この演算判定部８や前記受皿情報読取装置６は、インターネットでアクセス可能な例えば選別装置１が設置される選果場のホストコンピュータ等の記憶装置９に接続され、演算判定部８で判定された農産物Ｗの等階級や受皿情報読取装置６で読み取られたバーコード５等が、後述する如く所定の状態で記憶されるようになっている。この記憶装置９を主体にして選果場のデータベース１０（図４参照）が構築されている。
【００２５】
前記搬送コンベア２の計測装置４の下流側（後段）のラベル貼付位置Ｓ２には、個体ラベル貼付装置１１が配置されている。この個体ラベル貼付装置１１は、軸１１ａを中心に矢印ロの如く回転する複数のラベル貼付部１１ｂを有し、ラベル貼付部１１ｂが受皿３上の農産物Ｗの表面に所定圧で当接することにより、後述する個体番号１２ａ等の所定の情報が印刷された個体ラベル１２が農産物Ｗの表面に貼付されるようになっている。
【００２６】
なお、個体ラベル貼付装置１１は、図では一台設置されているが、例えば搬送コンベア２の搬送方向イに沿って複数台（例えば２台）並設することもできる。この個体ラベル貼付装置１１を複数台並設する場合は、複数台のうちいずれか一台の個体ラベル貼付装置１１を作動させることにより、個体ラベル１２の交換作業時の搬送コンベア２の停止を防止することもできるし、受皿３の搬送と複数台の個体ラベル貼付装置１１の作動を関連付けることにより、個体ラベル１２の貼付作業の作業効率の向上（スピードアップ）を図ることもできる。
【００２７】
そして、この個体ラベル貼付装置１１の下流側のラベル検査位置Ｓ３には、受皿３上の農産物Ｗに貼付された個体ラベル１２の情報（個体番号１２ａ）（個体情報）を読み取る個体ラベル検査手段としてのラベル情報読取装置１３が配置されると共に、このラベル情報読取装置１３に対応して受皿３のバーコード５を読み取る受皿情報読取装置１４（第３受皿情報読取装置）が配置されている。また、ラベル情報読取装置１３には、排出装置１５を制御する排出制御装置１６が接続されており、ラベル情報読取装置１３で受皿３上の農産物Ｗにラベル貼付ミス等により個体ラベル１２が貼付されていない場合や読み取りが不可能な場合に、排出制御装置１６から作動信号が出力されて排出装置１５が作動するようになっている。
【００２８】
前記排出装置１５は、搬送コンベア２のラベル情報読取装置１３の下流側に配置されて戻しコンベア１７の上流側１７ａが連結されている。この戻しコンベア１７は、例えば平面視でコ字状（もしくは円弧状）に形成され、その一端側である上流側１７ａ（始端側）が搬送コンベア２の排出装置１５に連結され、その他端側である下流側１７ｂ（終端側））が前記個体ラベル貼付装置１１の上流側（前段）の搬送コンベア２に連結されている。この戻しコンベア１７によって、個体ラベル１２が貼付されなかった農産物Ｗが載せられた受皿３が、矢印ハの如く自動的に個体ラベル貼付装置１１の前段に戻されて、再び個体ラベル貼付装置１１に供給されることになる。この戻しコンベア１７、排出制御装置１６、排出装置１５等によって本発明の個体ラベル補正手段が構成されている。
【００２９】
前記搬送コンベア２の排出装置１５下流側の仕分け位置Ｓ４の最始端側には、仕分け用の受皿情報読取装置１８（第２受皿情報読取装置）が配置され、この受皿情報読取装置１８の下流側に、排出装置２０をそれぞれ有する等階級別の貯留コンベア１９が配置されている。この貯留コンベア１９は、その搬送方向ニが例えば搬送コンベア２の搬送方向イと直交する方向に指向する状態で複数条配置されている。この各貯留コンベア１９の始端側に設けられた排出装置２０は、前記記憶部９に接続された仕分制御部２１（仕分制御装置）の制御信号によって作動するようになっている。この仕分制御部２１、前記３つの受皿情報読取装置６、１４、１８、演算判定部８、記憶装置９、ラベル情報読取装置１３、排出制御装置１６等によって本発明の制御手段が構成されている。
【００３０】
そして、前記仕分け位置Ｓ４の受皿情報読取装置１８で農産物Ｗが載せられた所定の受皿３のバーコード５が読み取られると、この読み取った受皿３のバーコード５に対応した農産物Ｗの等階級が記憶装置９から読み出され、その等階級に応じた排出装置２０が作動するように仕分制御部２１から所定の仕分信号が出力される。なお、貯留コンベア１９の下流側には、例えば図示しない箱詰めロボットが配置されて、所定量貯留された受皿３上の等階級毎の農産物Ｗを取り上げて段ボール箱内に箱詰めするか、あるいは人手によって等階級毎の農産物Ｗが段ボール箱に箱詰めされるようなっている。
【００３１】
次に、この選別装置１における農産物Ｗの具体的な個別情報管理の一例について説明する。先ず、個体ラベル１２貼付済みの農産物Ｗが載せられた受皿３は、図２に示すように、受皿３にバーコード５が貼着され、農産物Ｗの表面に個体ラベル１２が貼付されており、この時、農産物Ｗに貼付される個体ラベル１２は、例えば図３に示すように、個体番号１２ａとインターネットのホームページのアドレス（ＵＲＬという）１２ｂと、農産物Ｗが選別された選果場番号１２ｃ等の情報が印刷されている。
【００３２】
そして、選果場に所定の生産者から所定数の農産物Ｗが搬入されると、例えば搬送コンベア２の始端側に設けられた図示しない入力装置によって、生産者名、収穫日、選果日（搬入日）、ほ場、品種あるいは品目、個数等の荷口に関する情報（荷受情報という）が入力され、この荷受情報は、前記演算判定部８内あるいは別途設けた前記記憶装置９の第３記憶部９ｃに、例えば図１の書込データ３のようにして記憶される。
【００３３】
搬送コンベア２に投入される農産物Ｗの荷受情報が入力されると、当該農産物Ｗが搬送コンベア２の始端側の受皿３上に一個ずつ例えば作業者によって載せられ、この農産物Ｗが載せられた受皿３は搬送コンベア２により下流側に搬送される。そして、この受皿３が計測位置Ｓ１まで搬送されると、受皿情報読取装置６で受皿３のバーコード５（固有番号）が読み取られ、前記記憶装置９の第１記憶部９ａのアドレスメモリに記憶される。
【００３４】
また、計測位置Ｓ１まで搬送された受皿３上の農産物Ｗは、計測センサ７で外観や内部品質が計測され、この計測データが演算判定部８に入力されて農産物Ｗの等級、階級、糖度等が判定される。そして、この判定された等級、階級等（仕分情報という）が、前記読み取った受皿３のバーコード５（固有番号）と対応させて前記記憶装置９の第１記憶部９ａに書込データ１のように記憶される。したがって、前記演算判定部８で判定された仕分情報は、当該農産物Ｗが載せられた受皿５のアドレスメモリに一対一で対応した状態（リンク状態という）で書き込まれる。すなわち、バーコード５が「０００３」の受皿３上に載せられた農産物Ｗの等級が「秀」で階級が「Ｍ」で糖度が「１４度」の場合は、アドレスメモリの番号「０００３」の欄に「秀」「Ｍ」「１４度」として記憶されることになる。
【００３５】
このようにして記憶装置９の第１記憶部９ａに、その仕分情報が記憶された農産物Ｗが載せられた受皿３は、搬送コンベア２でさらに下流側に搬送され、ラベル貼付位置Ｓ２まで搬送される。このラベル貼付位置Ｓ２まで搬送された受皿３上の農産物Ｗは、個体ラベル貼付装置１１の作動でその表面に個体ラベル１２が貼付されて下流側のラベル検査位置Ｓ３まで搬送され、該位置Ｓ３でラベル情報読取装置１３により農産物Ｗに貼付された個体ラベル１２の個体番号１２ａが読み取られる。このラベル情報読取装置１３で個体番号１２ａが正規に読み取られると、この読み取られた個体番号１２ａが前記記憶装置９の第２記憶部９ｂに書込データ２のように記憶される。
【００３６】
この時、ラベル情報読取装置１３で読み取られた農産物Ｗが載せられた受皿３のバーコード５が、ラベル情報読取装置１３と略同一位置に配置された受皿情報読取装置１４で読み取られ、この読み取られたバーコード５に対応した前記第１記憶部９ａのアドレスメモリの番号位置に記憶、すなわち個体番号１２ａが受皿３のバーコード５にリンク状態で記憶される。これにより、受皿３のバーコード５に、仕分情報と個体ラベル１２の個体番号情報及び荷受情報が記憶装置９の第１記憶部９ａと第２記憶部９ｂと第３記憶部９ｃとにリンク状態で記憶されることになる。
【００３７】
一方、ラベル情報読取装置１３で農産物Ｗの個体ラベル１２の個体番号１２ａが読み取りできなかった場合、すなわち、個体ラベル貼付装置１１のラベル貼付ミス等で受皿３上の農産物Ｗに個体ラベル１２が貼付されていなかった場合は、「ラベル貼付不良信号」が排出制御装置１６に入力され、この排出制御装置１６の制御信号で排出装置１５を作動させる。排出装置１５が作動すると、農産物Ｗに個体ラベル１２が正規に貼付されていない受皿３が、搬送コンベア２上から戻しコンベア１７上に排出され、この戻しコンベア１７によって下流側（搬送コンベア２の戻り方向）に搬送されて、個体ラベル貼付装置１１の上流側の搬送コンベア２に例えば手動（もしくは自動的）供給されて戻される。
【００３８】
この時、戻しコンベア１７による受皿３の搬送コンベア２上への供給（戻し）は、搬送コンベア２上を搬送されてくる前後の受皿３間に位置するように供給して、搬送コンベア２を停止させることなく行うことが好ましいが、例えば自動的に供給する場合は、搬送コンベア２を瞬間的に停止させてその間に搬送コンベア２上に供給することも勿論可能である。この戻しコンベア１７により搬送コンベア２上に戻された農産物Ｗが載せられた受皿３が、再び個体ラベル貼付装置１１に供給されることで、受皿３上の農産物Ｗの表面に個体ラベル１２が貼付されて下流側に搬送されることになり、個体ラベル１２が貼付されない農産物Ｗが搬送コンベア２上を搬送されて仕分け位置Ｓ４まで搬送されることが確実に防止されることになる。
【００３９】
なお、例えば個体ラベル貼付装置１１で個体ラベル１２が農産物Ｗの表面にずれて２枚貼りされ、その個体番号１２ａが正規に読み取れない場合にも、当該農産物Ｗが載せられた受皿３が戻しコンベア１７上に排出され、この戻しコンベア１７上で作業者よって２枚貼りされた個体ラベル１２が剥がされて、再び搬送コンベア２上に供給される。この場合、農産物Ｗに個体ラベル１２が容易に視認される状態でかつ機械的に貼付されていることから、透明インクを直接印刷する場合等に比較してその剥がし（修正）作業が簡単に行えることになる。
【００４０】
そして、このようにして個体ラベル１２が確実に貼付された農産物Ｗが載せられた受皿３は、搬送コンベア２で搬送されて仕分け位置Ｓ４まで搬送され、受皿情報読取装置１８により受皿３のバーコード５が読み取られる。受皿情報読取装置１８で受皿３のバーコード５が読み取られると、該バーコード５に対応した記憶装置９の第１記憶部９ａのアドレスメモリの番号が読み出され、この番号に記憶されている仕分情報が仕分制御部２１に読み出されて、当該仕分情報に応じた貯留コンベア１９の排出装置２０が作動する。この排出装置２０の作動で、農産物Ｗが載せられた受皿３が所定の貯留コンベア１９上に排出されて貯留され、前述したように受皿３上の農産物Ｗが個体ラベル１２付きの状態で箱詰めされて出荷されることになる。
【００４１】
図４は、農産物Ｗに貼付された個体ラベル１２の流通経路における使用方法の一例を示している。以下、これについて説明する。先ず、前記選別装置１で個別情報管理されつつ選別されて出荷された農産物Ｗは、個別の情報を示す個体ラベル１２がそれぞれ貼付された状態で箱詰めされて、市場の中間業者や消費者に出荷される。そして、例えば中間業者である販売店等で販売しようとする農産物Ｗの荷受情報等を知りたい場合、あるいは消費者が購入した農産物Ｗの荷受情報等を知りたい場合は、店頭や自宅のパソコン２３等を使用し、インターネット等の通信手段２４を介して、農産物Ｗの個体ラベル１２に印刷されているＵＲＬ１２ｂを入力し、前記選果場のデータベース１０にアクセスする。
【００４２】
この時、個体ラベル１２の個体番号１２ａを入力することで、記憶装置９の第１記憶部９ａから第３記憶部９ｃに記憶されている個体番号に対応した各種情報がパソコン２３の画面上に即座に表示される。これにより、消費者等が購入した農産物Ｗの収穫日やほ場等の荷受情報や仕分情報等を確認しつつ安心して消費することができ、農産物Ｗに貼付された個体ラベル１２によって、例えばその収穫から消費までの個別の情報管理を効率的に行うことが可能になる。
【００４３】
このように、上記実施例の選別装置１にあっては、計測装置４の下流側でラベル情報読取装置１３の下流側と個体ラベル貼付装置１１の上流側間に戻しコンベア１７が配置されているため、ラベル情報読取装置１３で受皿３上の農産物Ｗの個体ラベル１２貼付状態が検査され、個体ラベル１２の貼付不良と検査された受皿３を戻しコンベア１７で個体ラベル貼付装置１１の上流側に戻すことができて、個体ラベル１２の貼付ミス等により個体ラベル１２の貼付不良の農産物Ｗに個体ラベル１２を確実に貼付することができる。その結果、個体ラベル１２の貼付の無いあるいは読み取り不良の農産物Ｗが搬送コンベア２で搬送されて仕分け位置Ｓ４に供給されることがなくなり、農産物Ｗが箱詰め時に取り出された場合や搬送コンベア２上で取り出された場合であっても、その個体ラベル１２によって等階級を確実かつ即座に把握できて当該農産物Ｗの的確な処理が可能になる。
【００４４】
また、農産物Ｗが載せられる受皿３のバーコード５と計測装置４で得られた当該受皿３上の農産物Ｗの仕分情報がリンク状態で記憶装置９に記憶されるため、受皿３のバーコード５を利用した農産物Ｗの選別作業を確実に行うことができると共に、リンク状態の受皿３のバーコード５と農産物Ｗの仕分情報とが農産物Ｗに貼付された個体ラベル１２ともリンク状態で記憶装置９に記憶されるため、農産物Ｗに貼付された個体ラベル１２から個々の農産物Ｗの各種情報を確実かつ容易に得ることができる。
【００４５】
さらに、リンク状態の受皿３のバーコード５と農産物Ｗの仕分情報及び個体ラベル１２の情報に、生産者や収穫日、選果日、ほ場等の当該農産物Ｗの荷受情報がリンク状態で記憶装置９に記憶されるため、例えば個体ラベル１２の情報によって、仕分情報や荷受情報等を検索でき、選別装置１が設置される選果場において、個々の農産物Ｗの個別情報管理を合理的かつ確実に行うことが可能になる。つまり、従来の選別装置の良さを生かしつつ、個体ラベル１２の貼付とこの貼付された個体ラベル１２とを関連付けて農産物Ｗの個別の情報を管理できて、個々の農産物の効率的かつ合理的な情報管理が可能になるわけである。
【００４６】
また、個体ラベル貼付装置１１の下流側に、戻しライン１７と排出制御装置１６及び排出装置１５からなる個体ラベル補正手段を設けることで、仕分け位置Ｓ４に供給される農産物Ｗに、個体ラベル１２の貼付不良の農産物Ｗを無くすことができるため、個体ラベル補正手段の構成を簡易にしつつ、例えば既存の選果場の選別装置１に容易に付設することができる等、汎用性に優れた個別情報管理装置を得ることができる。また、ラベル情報読取装置１３が、個体ラベル１２の情報読み取りと個体ラベル１２の貼付不良検査を兼ねるため、ラベル情報読取装置１３の効率運用が図れると共に読取装置１３自体の構成の簡略化が図れて、安価な個別情報管理装置を得ることが可能になる。
【００４７】
そして、この選別装置１で得られた受皿３のバーコード５、農産物Ｗの仕分情報、農産物Ｗの荷受情報等を選果場の記憶装置９に記憶させることで容易にデータベース化できるため、例えば選果場の作業員が所定の情報を入力することで関連する他の情報を即座に検索することができて、管理業務の一層の効率化が図れると共に、個体ラベル１２にＵＲＬ１２ｂを記載することにより、消費者や販売店等において当該農産物Ｗの荷受情報等をインターネット上で簡単かつ即座に把握することができて、消費者等が安心して農産物Ｗを消費することが可能になる。
【００４８】
なお、上記実施例においては、農産物Ｗがバーコード５を有する受皿３上に載せられ、該受皿３のバーコード５と農産物Ｗの仕分情報、荷受情報及び個体ラベル１２の情報とがリンク状態で記憶装置９に記憶されるように構成したが、本発明はこれに限定されず、例えば搬送コンベア２上を適宜形態で搬送される農産物Ｗに個体ラベル１２を貼付し、この個体ラベル１２のみによって個々の農産物Ｗの個別の情報管理を行うこともできる。この場合の個体ラベルとしては、上記実施形態と同様の個体ラベル１２でも良いし、例えば計測結果等が印刷された個体ラベルであっても良い。
【００４９】
また、記憶装置９に前記荷受情報を除く、受皿３のバーコード５と農産物Ｗの仕分情報及び個体ラベル１２の情報の３つの情報をリンク状態で記憶させるようにしても良い。この場合は、荷受情報を記憶させる必要がなくなって記憶装置９の容量増大を防ぐことができ、例えば選果場内における農産物Ｗの個別の情報管理に適用して、効率的かつ安価に情報管理を行うことができる。また、上記した仕分情報、荷受情報等は一例であって、例えば使用した肥料等を荷受情報として記憶させる等、他の各種情報を所定の記憶部に記憶させることも可能である。さらに、前記貯留コンベア１９の下流側の箱詰め部において、箱の番号や一箱当たりの玉数等を個体ラベル１２の番号とリンクさせて記憶することもできるし、出荷の段階において、出荷日、出荷先（市場）、車両番号等を合わせてリンクさせて記憶しておくこともできる。
【００５０】
またさらに、上記実施形態においては、バーコード５を有する受皿３を搬送手段としての搬送コンベア２で搬送させる場合について説明したが、搬送手段はこの構成に限らず、記憶装置９に記憶される情報に応じて、例えばバーコード５を有さない受皿３を使用した搬送コンベア、あるいは桟付きの搬送ベルトを有する搬送コンベアであっても良い。またさらに、個体ラベル１２の形態もＵＲＬ１２ｂを記載した上記実施形態に限定されず、例えば通し番号とバーコード等を使用した個体ラベルを使用する等、個々の農産物Ｗを表示する適宜の個体ラベルを使用することができる。
【産業上の利用可能性】
【００５１】
ラベル情報読取装置で読み取られた個体ラベルの個体情報と仕分情報取得装置で取得した農産物の仕分情報とを関連付けて管理する農産物の個別情報管理装置に適用することができる。
【図面の簡単な説明】
【００５２】
【図１】本発明に係わる農産物の個別情報管理装置を使用した選別装置の概略構成図
【図２】同個体ラベル貼付済み農産物が載せられた受皿の正面図
【図３】同個体ラベルが貼付された農産物の正面図
【図４】同選別装置を使用した流通経路の説明図
【符号の説明】
【００５３】
１・・・・・・・・・・選別装置
２・・・・・・・・・・搬送コンベア
３・・・・・・・・・・受皿
４・・・・・・・・・・計測装置
５・・・・・・・・・・バーコード
６・・・・・・・・・・受皿情報読取装置
７・・・・・・・・・・計測センサ
８・・・・・・・・・・演算判定部
９・・・・・・・・・・記憶装置
９ａ・・・・・・・・・第１記憶部
９ｂ・・・・・・・・・第２記憶部
９ｃ・・・・・・・・・第３記憶部
１０・・・・・・・・・データベース
１１・・・・・・・・・個体ラベル貼付装置
１２・・・・・・・・・個体ラベル
１２ａ・・・・・・・・個体番号
１２ｂ・・・・・・・・ＵＲＬ
１２ｃ・・・・・・・・選果場番号
１３・・・・・・・・・ラベル情報読取装置
１４・・・・・・・・・受皿情報読取装置
１５・・・・・・・・・排出装置
１６・・・・・・・・・排出制御装置
１７・・・・・・・・・戻しコンベア
１８・・・・・・・・・受皿情報読取装置
１９・・・・・・・・・貯留コンベア
２０・・・・・・・・・排出装置
２３・・・・・・・・・パソコン
２４・・・・・・・・・通信手段
Ｗ・・・・・・・・・・農産物
【図１】
2006289369.tif 000003
【図２】
2006289369.tif 000004
【図３】
2006289369.tif 000005
【図４】
2006289369.tif 000006